(57)【要約】【課題】ムービングプレートとハウジングとの係合不良を防ぐことのできるムービングプレート付コネクタを提供することを目的とする。【解決手段】ムービングプレート付コネクタ３０は、雄側コネクタ１０およびこれと嵌合する雌側コネクタ２０によって構成されている。雄側コネクタ１０は雄ハウジング１１内に雄側端子金具１３を収容するとともに、ムービングプレート１２を移動可能に収容している。ムービングプレート１２は雄側端子金具１３のタブ部１３ｂをガイドする複数のガイド孔１２ａ１を含んだガイド部１２ａと、雄側コネクタ１０の前後方向に延びるようにガイド部１２ａと一体に形成された嵌合子１２ｂを備えている。雄ハウジング１１の内周部に可撓性の係止片１１ｅを形成し、嵌合子１２ｂに係止片１１ｅと係合して、ムービングプレート１２の係止状態を形成する第１係止溝１２ｃおよび第２係止溝１２ｄを形成した。【選択図】  図５
2004265686.tif 000002
【特許請求の範囲】
【請求項１】
雄ハウジング内に雄側端子金具を収容する雄側コネクタ、
雌ハウジング内に雌側端子金具を収容する雌側コネクタ、および
前記雄ハウジング内に前後方向に移動可能に収容され、前記雄側端子金具の前方部が挿通されることによって前記端子金具をガイドする複数のガイド孔が形成されるとともに、前記雄ハウジング内の係止位置において前記雄ハウジングの内周部に形成された可撓性の係止片と係合する非可撓性の係止部が形成されたムービングプレートを備えたことを特徴とするムービングプレート付コネクタ。
【請求項２】
前記ムービングプレートは前記雄ハウジング内において前後方向に延びる嵌合子を含み、前記雄ハウジングにはその前後方向に延びて前記嵌合子と嵌合するレール部が形成されており、前記レール部はあり溝によって形成されるとともに、前記嵌合子は前記レール部と嵌合するように前記レール部の溝形状と一致した形状としたことを特徴とする請求項１記載のムービングプレート付コネクタ。
【請求項３】
前記係止部を前記嵌合子上に形成したことを特徴とする請求項２記載のムービングプレート付コネクタ。
【発明の詳細な説明】
【０００１】
【発明の属する技術分野】
本発明は、複数のガイド孔によって端子金具の前方部をガイドするムービングプレートを、コネクタハウジング内に移動可能に収容したムービングプレート付コネクタに関する。
【０００２】
【従来の技術】
ムービングプレート付コネクタに関する従来技術として、複数のガイド孔を備えたガイド部に２本の片持ち梁を連結したムービングプレートを、コネクタハウジング内に移動可能に収容したものがあった（例えば、特許文献１参照）。
【０００３】
【特許文献１】
特開２００２−３４３４８３公報（第１図）
【０００４】
図１２において、上述した公報に記載されたムービングプレート付コネクタ１は、コネクタハウジング２内に移動可能に収容されるムービングプレート３を備えている。ムービングプレート３は図示しない端子金具の前方部が挿通される複数のガイド孔４を備えたガイド部５に、２本の片持ち梁である嵌合子６を連結し、コネクタハウジング２に形成されたレール部７に嵌合子６を嵌合させて移動させるものである。嵌合子６には可撓性の仮係止部６ａおよび本係止部６ｂとが形成され、それぞれ、レール部７に形成された仮係合突起および本係合突起（いずれも図示しない）に対し撓みながら係合して、仮係止あるいは本係止状態としている。
【０００５】
【発明が解決しようとする課題】
上述した従来技術においては、ムービングプレート３の露出した部位に可撓性の仮係止部６ａおよび本係止部６ｂが形成されているため、コネクタハウジング２内へ収容する前に、嵌合子６を他の物に強くぶつけて衝撃を与えたりすると、可撓性の仮係止部６ａあるいは本係止部６ｂが変形、破損して、ムービングプレート３をコネクタハウジング２内に収容した場合にムービングプレート３の係合不良を起こす恐れがある。
【０００６】
本発明は上記のような事情に基づいて完成されたものであって、ムービングプレートとハウジングとの係合不良を防ぐことのできるムービングプレート付コネクタを提供することを目的とする。
【０００７】
【課題を解決するための手段】
上述した目的を達成するための手段として、請求項１の発明においては、雄ハウジング内に雄側端子金具を収容する雄側コネクタ、雌ハウジング内に雌側端子金具を収容する雌側コネクタ、および前記雄ハウジング内に前後方向に移動可能に収容され、前記雄側端子金具の前方部が挿通されることによって前記端子金具をガイドする複数のガイド孔が形成されるとともに、前記雄ハウジング内の係止位置において前記雄ハウジングの内周部に形成された可撓性の係止片と係合する非可撓性の係止部が形成されたムービングプレートを備えたことを特徴とするムービングプレート付コネクタとした。
【０００８】
請求項２の発明においては、前記ムービングプレートは前記雄ハウジング内において前後方向に延びる嵌合子を含み、前記雄ハウジングにはその前後方向に延びて前記嵌合子と嵌合するレール部が形成されており、前記レール部はあり溝によって形成されるとともに、前記嵌合子は前記レール部と嵌合するように前記レール部の溝形状と一致した形状としたことを特徴とする請求項１記載のムービングプレート付コネクタとした。
【０００９】
請求項３の発明においては、前記係止部を前記嵌合子上に形成したことを特徴とする請求項２記載のムービングプレート付コネクタとした。
【００１０】
【発明の作用及び効果】
＜請求項１の発明＞
可撓性の係止片を雄ハウジングの内周部に形成したため、係止片を破損するおそれが少ない。また、ムービングプレートに衝撃が加わっても非可撓性の係止部はダメージを受けにくく、雄ハウジングとムービングプレートとの係合不良が発生しにくいムービングプレート付コネクタとすることができる。
【００１１】
＜請求項２の発明＞
雄ハウジングに設けたあり溝によって形成されたレール部と、レール部の溝形状と一致した形状に形成した嵌合子とによって雄ハウジングとムービングプレートとを嵌合させたため、雄ハウジングに対してムービングプレートが円滑に移動するムービングプレート付コネクタとすることができる。
【００１２】
＜請求項３の発明＞
係止部を嵌合子上に形成したことにより、係止部と係止片とを互いに正しい位置で係合させることができ、係合不良を更に低減することができる。
【００１３】
【発明の実施の形態】
以下、本発明の実施形態を図１乃至図１１に基づいて説明する。以下、図１および図２においては右方を前方、図４においては左方を前方とする。図１乃至図３に示すように、本実施形態のムービングプレート付コネクタ３０に使用されるムービングプレート１２は雄ハウジング１１内に収容され、雄側端子金具１３をガイドするものである。雄側コネクタ１０は雄ハウジング１１のフード部１１ａ内にムービングプレート１２が前方より収容されており、端子収容部１１ｂ内の複数のキャビティ１１ｂ１内には、後方より複数の雄側端子金具１３が挿入されている。雄側端子金具１３は、電線１４が接続される加締部１３ａと加締部１３ａの前方に一体に形成されたタブ部１３ｂとによって構成されている。
【００１４】
また、端子収容部１１ｂの各キャビティ１１ｂ１にはランス１１ｂ２が形成され、キャビティ１１ｂ１に挿入された雄側端子金具１３と係合して雄側端子金具１３の抜け止めを行う。更に、キャビティ１１ｂ１内に雄側端子金具１３が挿入された後、端子収容部１１ｂにリテーナ１５が差込まれ、これが雄側端子金具１３と係合することによって雄側端子金具１３の抜け止めを確実にしている。
【００１５】
更に、雄ハウジング１１には、雄側コネクタ１０が後述する雌側コネクタ２０と完全に嵌合した場合に、雌ハウジング２１に設けられた突起部２１ｄ（後述する）と係合する可撓性のロック片１１ｃが一体に形成されている。また、図３に示すように、雄ハウジング１１のフード部１１ａの左右の内周面にはあり溝によって形成されたレール部１１ｄが設けられている。更に、雄ハウジング１１の内周部には、後述するムービングプレート１２の第１係止溝１２ｃおよび第２係止溝１２ｄと係合する一対の可撓性の係止片１１ｅが形成されている。
【００１６】
ムービングプレート１２は、図９乃至図１１に示すように複数のガイド孔１２ａ１を備えたガイド部１２ａと、ガイド部１２ａの前後方向に延びるように、ガイド部１２ａの両端に片持ち梁状に一体に形成され、上述した雄ハウジング１１に形成されたレール部１１ｄと嵌合する２個の嵌合子１２ｂとによって構成されている。嵌合子１２ｂは、あり溝によって形成されたレール部１１ｄとの間で相対移動可能に嵌合するように、その断面がレール部１１ｄの溝形状に一致する形状に形成されており、嵌合子１２ｂのそれぞれ外側面には、第１係止溝１２ｃおよび第２係止溝１２ｄが互いに離れて形成されている。
【００１７】
第１係止溝１２ｃは本発明の係止部に該当し、その断面が矩形状であって、その雄側コネクタ１０の後方側が前後方向に対して垂直な面１２ｃ１にて形成され、前方側が緩やかな傾斜面１２ｃ２にて形成されている。一方、第２係止溝１２ｄも本発明の係止部に該当し、その断面がやはり矩形状であって、その前後側とも緩やかな傾斜面１２ｄ１および１２ｄ２にて形成されている。
【００１８】
図１に示すように、ムービングプレート１２は、雄ハウジング１１のレール部１１ｄに嵌合子１２ｂが嵌合するように雄ハウジング１１の前方側より挿入され、雄ハウジング１１の内周面に形成された一対の可撓性の係止片１１ｅが、第１係止溝１２ｃと係合する位置において一旦停止して第１係止状態となる（図１および図２示）。この時、各々のガイド孔１２ａ１に雄側端子金具１３のタブ部１３ｂの先端部が嵌合して、雄側端子金具１３のタブ部１３ｂはムービングプレート１２のガイド孔１２ａ１によってガイドされ、相手側コネクタの端子金具と嵌合可能な位置に保持される。
【００１９】
次に、図４に基づいて雌側コネクタ２０について説明する。雌側コネクタ２０を構成している雌ハウジング２１の前方部にある凹部２１ａには複数の貫通孔２２ａが形成された前壁部２２が装着され、雌ハウジング２１の後方部には複数のキャビティ２１ｂが形成されている。各々のキャビティ２１ｂ内には、後方に電線２４が連結された雌側端子金具２３が収容されている。雌側端子金具２３はキャビティ２１ｂ内に収容されると雌ハウジング２１に形成されたランス２１ｃと係合して抜け止めされる。更に、キャビティ２１ｂ内に収容された後に、雌ハウジング２１にリテーナ２５を装着することで、雌側端子金具２３の抜け止めを確実にしている。尚、雌ハウジング２１の上面には、雌側コネクタ２０が雄側コネクタ１０と嵌合する際に、雄ハウジング１１のロック片１１ｃと係合する突起部２１ｄが形成されている。
【００２０】
以下、図５乃至図８に基づいて、雄側コネクタ１０および雌側コネクタ２０を互いに嵌合させる場合について説明する。上述したように、雌雄のコネクタを嵌合させる以前は、雄ハウジング１１の係止片１１ｅはムービングプレート１２の第１係止溝１２ｃと係合しており、ムービングプレート１２は第１係止状態にある。最初に、図５に示すように雌側コネクタ２０の前端部がムービングプレート１２の嵌合子１２ｂ間に介在するように、雄側コネクタ１０内に雌側コネクタ２０を進入させる。雌側コネクタ２０の進入に伴い、その前端部がムービングプレート１２のガイド部１２ａに接近するとともに、雄側端子金具１３のタブ部１３ｂが前壁部２２の貫通孔２２ａ内に進入し始める。
【００２１】
更に深く雌側コネクタ２０を雄側コネクタ１０内に進入させると、雌側コネクタ２０の前端部がガイド部１２ａに当接して、ムービングプレート１２を雄側コネクタ１０内の後方（図５および図６において左方）に移動させるとともに、雄側端子金具１３のタブ部１３ｂが前壁部２２の貫通孔２２ａに挿通された後、雌側端子金具２３に嵌合する。ムービングプレート１２の移動に伴って、第１係止溝１２ｃに係合していた係止片１１ｅは、第１係止溝１２ｃの前方にある緩やかな傾斜面１２ｃ２に乗り上げた後、隣接した傾斜面１２ｄ１を降下して第２係止溝１２ｄと係合して第２係止状態となり、嵌合が完了する（図７および図８示）。
【００２２】
この時、雄ハウジング１１のロック片１１ｃが雌ハウジング２１の突起部２１ｄに係合し、雌雄のコネクタがはずれないようにロックされる。また、ムービングプレート１２が移動する間、ガイド孔１２ａ１が各々の雄側端子金具１３のタブ部１３ｂをガイドしているため、タブ部１３ｂの位置が正確に決められ雌側端子金具２３との嵌合が円滑に行われる。
【００２３】
上述した実施形態によれば、可撓性の係止片１１ｅが雄ハウジング１１の内周部に形成されているため破損しにくい。また、ムービングプレート１２の外側に露出している第１係止溝１２ｃおよび第２係止溝１２ｄは非可撓性であるため、外部から衝撃が加わっても破損しにくく、雄ハウジング１１とムービングプレート１２との間の係合不良が発生しにくい。
【００２４】
また、ハウジング１１に設けられたあり溝によって形成されたレール部１１ｄに、ムービングプレート１２に設けた嵌合子１２ｂを嵌合させて双方を相対移動可能に連結したことにより、雄ハウジング１１に対してムービングプレート１２が円滑に移動できる。それに加えて、嵌合子１２ｂの外周面に第１係止溝１２ｃおよび第２係止溝１２ｄを形成したことにより、第１係止溝１２ｃおよび第２係止溝１２ｄと係止片１１ｅとを互いに正しい位置で係合させることができ、係合不良をなくすことができる。
【００２５】
＜他の実施形態＞
本発明は上述した記載および図面によって説明した実施形態に限定されるものではなく、例えば次のような実施形態も本発明の技術的範囲に含まれ、さらに、以下のもの以外にも要旨を逸脱しない範囲内で種々変更して実施することができる。
（１）上述した実施形態においては、ハウジングに形成された係止片がムービングプレートの第１係止溝および第２係止溝の双方に係合する構成とされているが、ハウジングの内周部にムービングプレートの第１係止溝に係合する第１係止片と第２係止溝に係合する第２係止片を互いに別体に設けてもよい。
（２）係止溝は必ずしも嵌合子上になければならないわけではなく、ムービングプレートの他の部位に設けてもよい。
【図面の簡単な説明】
【図１】一実施形態によるムービングプレート付コネクタを構成する雄側コネクタの横断面図である。
【図２】図１の縦断面図である。
【図３】図２の右側面図である。
【図４】一実施形態によるムービングプレート付コネクタを構成する雌側コネクタの縦断面図である。
【図５】雄側コネクタに雌側コネクタを嵌合させた初期状態を示す横断面図である。
【図６】図５の縦断面図である。
【図７】雌雄のコネクタの嵌合が完了した状態を示す横断面図である。
【図８】図７の縦断面図である。
【図９】図１に示した雄側コネクタに使用したムービングプレートの斜視図である。
【図１０】図９に示したムービングプレートの横断面図である。
【図１１】図１０に示したムービングプレートの右側面図である。
【図１２】従来のムービングプレート付コネクタを示す斜視図である。
【符号の説明】
１０…雄側コネクタ
１１…雄ハウジング
１１ｄ…レール部
１１ｅ…係止片
１２…ムービングプレート
１２ａ１…ガイド孔
１２ｂ…嵌合子
１２ｃ…第１係止溝
１２ｄ…第２係止溝
１３…雄側端子金具
１３ｂ…タブ部
２０…雌側コネクタ
２１…雌ハウジング
２３…雌側端子金具
３０…ムービングプレート付コネクタ
【図１】
2004265686.tif 000003
【図２】
2004265686.tif 000004
【図３】
2004265686.tif 000005
【図４】
2004265686.tif 000006
【図５】
2004265686.tif 000007
【図６】
2004265686.tif 000008
【図７】
2004265686.tif 000009
【図８】
2004265686.tif 000010
【図９】
2004265686.tif 000011
【図１０】
2004265686.tif 000012
【図１１】
2004265686.tif 000013
【図１２】
2004265686.tif 000014